(57)【要約】      （修正有）【課題】オルゴール具の回転駆動装置の駆動力を利用した人形その他の物体の揺動は、回転、左右動、揺動の如く、その動く範囲が、平面上での動作であって二次元の範囲のみに限られ，必然的に動作範囲が限定された範囲のものとなり、その分興味や注意が限られていたが，立体的な三次元方向に人形その他の物体を動作させることにより、この種の物品に対する需要者の一層の興味や注意を引くことができる吊下げ揺動玩具を実現する。【解決手段】透明製の容器体２の上部に設けたネジ捲オルゴール具４の回旋駆動装置３と、ネジ捲オルゴール具４の回旋駆動装置により回転される歯車を介して駆動されるカム機構５と、カム機構により上下動可能に設けた揺動体に吊下紐により吊下げた玩具本体を、容器体内で揺動可能に設けたことを特徴とするものである。【選択図】図１
0003110565.tif 000002
【実用新案登録請求の範囲】
【請求項１】
容器体の上部に設けた回旋駆動装置と、
該回旋駆動装置により駆動されるカム機構と、
カム機構により揺動可能に設けた揺動体に連結した玩具本体を容器体内で揺動可能に設けたことを特徴とする容器体に収納した吊下げ揺動玩具。
【請求項２】
容器体の上部に設けたネジ捲オルゴール具の回旋駆動装置と、
該ネジ捲オルゴール具の回旋駆動装置により回転される歯車を介して駆動されるカム機構と、
カム機構により上下動可能に設けた揺動体に吊下紐により吊下げた玩具本体を容器体内で揺動可能に設けたことを特徴とする容器体に収納した吊下げ揺動玩具。
【請求項３】
透明製の容器体の上部に設けたネジ捲オルゴール具の回旋駆動装置と、
該ネジ捲オルゴール具の回旋駆動装置により回転される歯車を介して駆動されるカム機構と、
カム機構により上下動可能に設けた揺動体に透明製の吊下紐により吊下げた玩具本体を容器体内で発音しながら揺動可能に設けたことを特徴とする容器体に収納した吊下げ揺動玩具。
【請求項４】
透明製の容器体の上部に設けたネジ捲オルゴール具の回旋ゼンマイバネとドラムと発音体とを除く大部分を透明製とした回旋駆動装置と、
該ネジ捲オルゴール具の回旋駆動装置により回転される歯車に噛み合い伝動された歯車を介して駆動されるカム機構と、
カム機構により上下動可能に設けた透明製の揺動体に透明製の吊下紐により吊下げた玩具本体を容器体内の底部に立設して発音しながら揺動可能に設けたことを特徴とする容器体に収納した吊下げ揺動玩具。
【請求項５】
玩具本体が、ミッキーマウスやトトロその他の１個又は複数個の任意の人形体に形成され、該人形体の両手や頭部或いは人形体の携帯物品その他の人形体の任意位置に、吊下紐が連結され上下方向並びに左右方向その他任意方向に揺動可能に設けたことを特徴とする請求項１、２、３又は４の容器体に収納した吊下げ揺動玩具。
【考案の詳細な説明】
【技術分野】
【０００１】
本考案は、容器体に収納した吊下げ揺動玩具に関するものであり、特に、吊下げた玩具本体がオルゴール具の回旋駆動に伴い容器体内で、恰も、オルゴールが演奏する音色の発音に併せて、飛んだり跳ねたりして踊りまわっているような外観を呈する玩具に関するものである。
【背景技術】
【０００２】
従来、ネジ捲オルゴールや電動オルゴールを用いて、単に各種の音楽を演奏する発音玩具は一般に提案されており、さらに、この種の発音玩具としてのみならず、この種の物品に対する一層の興味や注意を引くことにより、需要を喚起するために、この種のオルゴール具の発音と共に、人形その他の物体が揺動するように設けた玩具が提供されている。
従来のこの種のオルゴール具の発音と共に、人形その他の物体が揺動するように設けた玩具においては、オルゴールの発音と共に人形その他の物体が揺動するという点においては，発音と人形の揺動とを共同して起こすことができるという機能面においては十分であった。
【０００３】
しかしながら、従来のこの種のオルゴール具の発音と共に、人形その他の物体が揺動するように設けた玩具においては、オルゴール具の回転駆動装置の駆動力を利用して人形その他の物体を、回転させたり、左右動したり或いは揺動せしめるものであり、オルゴール具の回転駆動装置の駆動力を利用した人形その他の物体の揺動は、回転、左右動或いは揺動の如く、その動く範囲が、一定の平面上での動作でありり、すなわち、人形その他の物体の動作範囲は、平面上での動作たる二次元の範囲のみに限られているから，動作範囲が
限定された範囲のものとなり、三次元方向に人形その他の物体の動作させるものではないから、この種の物品に対する需要者の一層の興味や注意を引くことができず、需要を喚起させることができないという欠点があった。
【０００４】
また、従来のこの種のこの種のオルゴール具の発音と共に、人形その他の物体が揺動するように設けた玩具においては、人形その他の物体を揺動せしめる回転駆動装置の駆動力の伝動状態が、需要者が容易に外部から視覚により確認できず、さらに、回転駆動のための構造が複雑となるという問題があった。
【０００５】
この改善策として、オルゴール具の発音と共に人形その他の物体が揺動するように設けた玩具を、ハウス型に形成しその内部にオルゴール具の発音と共に揺動する人形その他の物体を設けて、点灯したり覗き見可能に設けた玩具が提案されている。
しかしながら、なお、この種の玩具においても、需要者が玩具全体や、回転駆動装置による伝動の構造が、容易に外部から視覚により確認できず、しかも、人形その他の物体の動作範囲は、平面上での動作たる二次元の範囲のみに限られ，動作範囲が限定された範囲のものとなり、さらに、回転駆動装置の構造が複雑となり価格が必然的に高くなるという欠点は、解決できないという問題があった。
【特許文献１】実用新案登録第３０９８８４９号公報
【考案の開示】
【考案が解決しようとする課題】
【０００６】
解決しようとする問題点は、従来のこの種のオルゴール具の発音と共に、人形その他の物体が揺動するように設けた玩具においては、オルゴール具の回転駆動装置の駆動力を利用して人形その他の物体を、回転させたり、左右動したり或いは揺動せしめるものであり、オルゴール具の回転駆動装置の駆動力を利用した人形その他の物体の揺動は、回転、左右動或いは揺動の如く、その動く範囲が、一定の平面上での動作であり、すなわち、人形その他の物体の動作範囲は、平面上での動作であって二次元の範囲のみに限られているから，必然的に動作範囲が限定された範囲のものとなり、立体的な三次元方向に人形その他の物体を動作させることができず、したがって、この種の物品に対する需要者の一層の興味や注意を引くことにより、需要を喚起させることができないという点である。
【０００７】
解決しようとする問題点は、従来のこの種のオルゴール具の発音と共に人形その他の物体が揺動するように設けた玩具は、需要者が玩具全体や、回転駆動装置による伝動の構造が、容易に外部から視覚により確認できず、しかも、回転駆動装置の構造が複雑となり価格が必然的に高くなるという問題は、解決できないとういう点である。
【課題を解決するための手段】
【０００８】
本考案の容器体に収納した吊下げ揺動玩具は、容器体に収納された吊下げた玩具本体を
発音と同時に揺動せめることにより、動作範囲が平面上での動作たる二次元の範囲のみに限られてことなく、広く三次元方向の範囲で人形その他の物体を立体的な動作として、揺動可能に構成したことを特徴とするものである。
【０００９】
本考案の容器体に収納した吊下げ揺動玩具は、発音と同時に三次元方向に揺動する玩具本体を揺動せしめながら発音する回転駆動装置による伝動の構造が、需要者が外部から容易に視認できるように、容器体と、玩具本体を揺動せしめる回転駆動装置の駆動源の回旋ゼンマイバネや発音構造のドラム体や発音体を除く大部分や、カム機構の原動軸や連支軸を除く揺動体や吊下紐等を透明製としたことを特徴とするものである。
【００１０】
本考案の容器体に収納した吊下げ揺動玩具は、容器体の上部に設けた回旋駆動装置と、該回旋駆動装置により駆動されるカム機構と、カム機構により上下動可能に設けた揺動体に吊下げた玩具本体を容器体内で揺動可能に設けたことを特徴とするものである。
【００１１】
本考案の容器体に収納した吊下げ揺動玩具は、容器体の上部に設けたネジ捲オルゴール具の回旋駆動装置と、該ネジ捲オルゴール具の回旋駆動装置により回転される歯車を介して駆動されるカム機構と、カム機構により上下動可能に設けた揺動体に吊下紐により吊下げた玩具本体を容器体内で揺動可能に設けたことを特徴とするものである。
【００１２】
本考案の容器体に収納した吊下げ揺動玩具は、透明製の容器体の上部に設けたネジ捲オルゴール具の回旋駆動装置と、該ネジ捲オルゴール具の回旋駆動装置により回転される歯車を介して駆動されるカム機構と、カム機構により上下動可能に設けた透明製の揺動体に透明製の吊下紐により吊下げた玩具本体を、容器体内で揺動可能に設けたことを特徴とするものである。
【００１３】
本考案の容器体に収納した吊下げ揺動玩具は、透明製の容器体の上部に設けたネジ捲オルゴール具の回旋ゼマイバネと、ドラムと発音体とを除く大部分を透明製としたネジ捲オルゴール具の回旋駆動装置と、該ネジ捲オルゴール具の回旋駆動装置により、回転される歯車に歯車伝動された歯車を介して駆動されるカム機構と、カム機構により上下動可能に設けた透明製の揺動体に、透明製の吊下紐により玩具本体を吊下げて、容器体内で底部に立設し揺動可能に設けたことを特徴とするものである。
【００１４】
本考案の容器体に収納した吊下げ揺動玩具は、玩具本体が、ミッキーマウスやトトロその他の１個又は複数個の任意の人形体に形成され、該人形体の両手や頭部或いは人形体の携帯物品その他の人形体の任意位置に、吊下紐が連結され上下方向、並びに、左右方向その他任意方向に揺動可能に設けたことを特徴とするものである。
【考案の効果】
【００１５】
本考案の容器体に収納した吊下げ揺動玩具は、容器体の上部に設けた回旋駆動装置によって、駆動されるカム機構の上下動可能に設けた揺動体に、玩具本体を吊下げて容器体内で揺動可能に設けたものであるから、容器体に収納された吊下げた玩具本体が、発音と同時に揺動しながら、しかも、玩具本体の揺動する動作範囲が、平面上での動作たる二次元の範囲のみに限られてことなく、上下方向たる三次元方向に人形その他の物体の玩具本体が、揺動可能に構成したものであるから、この種の物品に対する需要者の一層の興味や注意を引くことかができるので、この種の物品に対する需要を喚起させることができるという効果がある。
【００１６】
本考案の容器体に収納した吊下げ揺動玩具は、玩具本体を収納した容器体と、回旋駆動装置をネジ捲オルゴール具とし、その発音の構造たるドラムや発音体や、駆動源としての回旋ゼンマイバネ等を除く大部分と、カム機構により揺動される揺動体と、玩具本体とカム機構により揺動される揺動体とを連結した吊下紐とを、透明製としたから、容器体内の玩具本体が、恰も、自らの意思により一人で、発音される演奏曲に合わせて、飛んだり跳ねたりしながら、踊り廻っているような外観を呈し，しかも、ネジ捲オルゴール具の回旋駆動装置の回旋ゼンマイバネの回旋状態と、回転力の伝動の構造や状態が、外部から需要者が、容易に視認できるので、この種の物品に対する需要者の一層の興味や注意を引くことにより、需要を喚起させることができるという効果がある。
【００１７】
請求項２における本考案の容器体に収納した吊下げ揺動玩具は、容器体の上部に設けた回旋駆動装置をネジ捲オルゴール具とし、該ネジ捲オルゴール具により回転される歯車を介して駆動されるカム機構と、カム機構により上下動可能に設けた揺動体と、該揺動体に玩具本体を吊下紐により吊下げ、容器体内で玩具本体を揺動可能に設けたものであるから、ネジ捲オルゴール具による回転駆動により、発音と同時にカム機構の揺動体に吊下紐により吊下げた玩具本体が、容器体内で上下動しながら揺動することができる。
【００１８】
請求項３における本考案の容器体に収納した吊下げ揺動玩具は、容器体と、容器体の上部に設けたネジ捲オルゴール具の回旋駆動装置をネジ捲オルゴール具とし、その発音の構造たるドラムや発音体や、駆動源としての回旋ゼンマイバネ等を除く大部分と、カム機構により揺動される揺動体と、玩具本体とカム機構により揺動される揺動体とを連結した吊下紐とを、透明製としたので、容器体の内部に収納した上下方向に揺動する玩具本体、発音し回旋駆動するネジ捲オルゴール具とが容器体の外部から、容易に視認することができる。
【００１９】
請求項４における本考案の容器体に収納した吊下げ揺動玩具は、容器体と、容器体の上部に設けたネジ捲オルゴール具の回旋駆動装置をネジ捲オルゴール具とし、その発音の構造たるドラムや発音体や、駆動源としての回旋ゼンマイバネ等を除く大部分と、カム機構により揺動される揺動体と、玩具本体とカム機構により揺動される揺動体とを連結した吊下紐とを、透明製としたから、
回旋駆動装置たるネジ捲オルゴール具による駆動力が、歯車の噛み合によって伝動される駆動状態と、該ネジ捲オルゴール具によるカム機構の揺動体との揺動状態が、容易に視認され、かつ、同時に、容器体の内部に収納した玩具本体が、発音しながら上下方向に揺動するので、需要者に対する訴求力が、一層高まって、需要の喚起に効果がある。
【００２０】
請求項５における本考案の容器体に収納した吊下げ揺動玩具は、玩具本体が、ミッキーマウスやトトロその他の１個又は複数個の任意の人形体に形成され、該人形体の両手や頭部或いは人形体の携帯物品その他の人形体の任意位置に、吊下紐が連結され上下方向並びに左右方向その他任意方向に揺動可能に設けたものであるから、この種の物品の主たる需要者である幼児、子供達に広く周知され親しまれているミッキーマウスや、隣のトトロ、その他の人形体に形成された玩具本体が、１個又は複数個が、容器体の内部で、恰も、自らの意思により一人で、発音される演奏曲に合わせて、飛んだり跳ねたりしながら、踊り廻っているような外観を呈することができる。
【考案を実施するための最良の形態】
【００２１】
本考案の容器体に収納した吊下げ揺動玩具は、容器体の上部に設けた回旋駆動装置のネジ捲オルゴール具によって、駆動されるカム機構の上下動可能に設けた揺動体に、玩具本体を吊下げて容器体内で揺動可能に設けることにより、容器体に収納された吊下げた玩具本体が、発音と同時に揺動しながら、しかも、玩具本体の揺動する動作範囲が、平面上での動作たる二次元の範囲のみに限られてことなく、上下方向たる三次元方向に人形その他の物体の玩具本体が、揺動する状態を容器体の外部から，容易に視認できるようにしたから、この種の物品に対する興味や注意を引き、需要者の一層の需要を喚起させることを実現した。
【実施例１】
【００２２】
図１乃至図８は、本考案の容器体に収納した吊下げ揺動玩具の実施例を示すものであり、図１は本考案の斜視図であり、図２は図１の一部省略の正面図であり、図３は図１の作動状態を説明する一部省略の側面図であり、図４は図１の要部の平面図であり、図５は図１の本考案の一部省略の斜視図であり、図６は本考案の回転駆動力の伝動の状態を説明する要部の斜視図であり、図７は本考案のカム機構を説明する要部の斜視図であり、図８は他の実施例を示す要部の斜視図である。
図中において符号の１は本考案の容器体に収納した吊下げ揺動玩具、２は容器体、３は回転駆動装置、４はネジ捲オルゴール具、５はカム機構、６はネジ捲、７はドラム、８は回旋ゼンマイバネ、９は発音体、１０は歯車、１１は歯車、１２は原動軸、１３はカム、１４は揺動体、１５は連支軸、１６は吊下紐、１７は玩具本体、１８はミッキーマウス、１９は頭部、２０は手、２１は胴体、２２は足、２３トトロ、２４はトトロの傘、２５は小トトロ、２６は真っ黒クロスケ、２７は紐通孔体である。
【００２３】
本考案の容器体に収納した吊下げ揺動玩具１は、容器体２の上部に設けた回転駆動装置３により駆動されるカム機構５のカム１３によって、上下動される揺動体１４に吊り下げられた玩具本体１７を容器体２内で上下方向に揺動可能に設けたものである。
【００２４】
容器体２は、収納された玩具本体１７の上下方向への揺動の状態や、回転駆動装置３やカム機構５の回転駆動力の伝動の状態が外部から視認できる様に、容器体２と、カム機構５と、回転駆動装置３の回旋ゼンマイバネ８とドラム７と発音体９とを除く大部分は、透明製の資材で形成されている。
これらの透明製の資材としては、透明合成樹脂が加工の容易性や破損にしにくく入手しやすい等の利点から、特に、透明度が比較的高く加工が容易で、しかも比較的傷が付きにくいという点から、アクリル樹脂が最も好適である。
この様に容器体２と、カム機構５のカム１３と揺動体１４とを透明製とし、回転駆動装置３の駆動源たる回旋ゼンマイバネ８と、発音源たるドラム７と発音体９とを除く、大部分を透明製にしたから、収納された玩具本体１７の上下方向への揺動の状態や、回転駆動装置３やカム機構５の回転駆動力の伝動の状態が外部から視認できるので、需要者注意を一層引き付けることができるという利点がある。
【００２５】
容器体２は、玩具本体１７を収納し内部で上下方向へ揺動できる大きさであればよく、円筒状、箱状体の如くその形状を問わず、その上部蓋２ａの下側面に回転駆動装置３が取付けられ、その底部２ｂには玩具本体１７が、上下方向に揺動できるように立設されている。
【００２６】
回転駆動装置３は、カム機構５に伝動される回転駆動力の駆動源となるものであり、ネジ捲オルゴール具４が用いられる。
ネジ捲オルゴール具４のネジ捲６を廻して駆動源たる回旋ゼンマイバネ８の回旋力により、ドラム７を回転させて発音体９を発音させながら、ドラム７に同軸に軸支した歯車１０を回転駆動するように設けられている従来公知のネジ捲オルゴール具である。
【００２７】
カム機構５は、歯車１１が回転駆動装置３たるネジ捲オルゴール具４により回転される歯車１０に噛み合っており、歯車１０と歯車１１とを介してカム機構５が、駆動されるように設けられている。
カム機構５は、歯車１１を軸支した原動軸１２と、該原動軸１２に軸支したカム１３と、カム１３に接触しカム１３の回転により上下方向に揺動可能に設けた透明な板体状の揺動体１４とからなっている。
カム１３は、原動軸１２に軸線方向に一定間隔に３個が軸着され、かつ、カム１３は四角柱体に形成され、隣り合ったカム１３の突起体たる隅角部の位置は、相互に異なった位置になるように設けられている。
このように、隣り合ったカム１３の四角柱体の隅角部の位置は、互いに位置をずらして異なって設けたから、カム１３の回転によりカム１３に接触した３本の揺動体１４が、根端方向を連支軸１５により軸支され、交互に、すなわち、互い違いに上下方向に揺動することができる。
【００２８】
３本の揺動体１４には、先端方向に各々透明製で強靭で柔軟な吊下紐１６の上端方向が取付けられおり、吊下紐１６の下端方向は、容器体２の底部２ｂに立設した玩具本体１７の一部に取付けられ、揺動体１４の上下方向に揺動により玩具本体１７の一部又は全体が上下方向に揺動し、恰も、飛んだり跳ねたり踊ったりしているような、需要者の注意と興味を掻き立てるような外観を呈することができる。
【００２９】
玩具本体１７は、図１に示す如く、広く幼児、子供に知られて親しまれている人形、例えばミッキーマウス１８に形成され、吊下紐１６はミッキーマウス１８の両手２０と頭部１９とに取付けられている。
このように、玩具本体１７を広く知られて親しまれているミッキーマウス１８とし、その両手２０と頭部１９とに吊下紐１６を取り付けておけば、揺動体１４の上下方向に揺動に伴って、ミッキーマウス１８がネジ捲オルゴール具４の発音に伴って、恰も、音楽の演奏に合わせて、両手２０を上げ下げし、頭部１９を上下方向に揺動して飛んだり跳ねたり踊り廻っているような外観を呈し、一層興味と注意とを引くことができる。
この場合、ミッキーマウス１８を容器体２内の底部２ｂに立設せずに、単に立っている状態に載置しておけば、両手２０を上げ下げと共にミッキーマウス１８自体が上方へ飛び上がるように動作が大きくなり、一層需要者の注意と興味を掻き立てることができる。
【実施例２】
【００３０】
図８は、本考案の本考案の容器体に収納した吊下げ揺動玩具の他の実施例を示すものであり、玩具本体１７は、図８に示す如く、広く幼児、子供に知られて親しまれているマンガのキャラクターでトトロ２３、或いはその他の任意な人形とすることができる。
この場合トトロ２３が携えている傘２４と、小トトロ２５と、真っ黒クロスケ２６と、に
吊下紐１６の下端方向を取付けている。
図８において小トトロ２５は、容器体２内の底部２ｂに固定して立設し、該小トトロ２５の全体を弾支材とし、吊下紐１６を容器体２の側面に突設した紐通孔体２７に挿通しておけば、揺動体１４の上下方向への揺動により小トトロ２５は、身体全体を左右方向へ揺動して動作が大きくなり、一層需要者の注意と興味を掻き立てることができる。
【産業上の利用可能性】
【００３１】
本考案の容器体に収納した吊下げ揺動玩具は、容器体の上部に設けた回旋駆動装置と、該回旋駆動装置により駆動されるカム機構と、カム機構により上下動可能に設けた揺動体に吊下げた玩具本体を容器体内で揺動可能に設けたものであり、容器体の上部に設けた回旋駆動装置により、容器体内で音楽を演奏する発音と同時に、玩具本体の物品が、上下動しながら揺動するものであるから、玩具本体を飾り置く場所や、雰囲気に調和した物品とすれば、飾り品として雰囲気に調和した高い意匠価値を有し、グレードの高いディスプレイとしても、多種多様な用途に利用できるものである。
【図面の簡単な説明】
【００３２】
【図１】本考案の容器体に収納した吊下げ揺動玩具の斜視図である。（実施例１）
【図２】図１の一部省略の正面図である。
【図３】図１の一部省略の側面図である。
【図４】図１の要部の平面図である。
【図５】図１の一部省略の斜視面図である。
【図６】本考案の要部の斜視図である。
【図７】本考案の要部の斜視図である。
【図８】本考案の他の実施例の要部の斜視図である。（実施例２）
【符号の説明】
【００３３】
１    容器体に収納した吊下げ揺動玩具
２    容器体
３    回転駆動装置
４    ネジ捲オルゴール具
５    カム機構
６    ネジ捲
７    ドラム
８    回旋ゼンマイバネ
９    発音体
１０    歯車
１１    歯車
１２  原動軸
１３  カム
１４  揺動体
１５  連支軸
１６  吊下紐
１７  玩具本体
１８  ミッキーマウス
１９  頭部
２０  手
２１  胴体
２２  足
２３  トトロ
２４  トトロの傘
２５  小トトロ
２６  真っ黒クロスケ
２７  紐通孔体
【図１】
0003110565.tif 000003
【図２】
0003110565.tif 000004
【図３】
0003110565.tif 000005
【図４】
0003110565.tif 000006
【図５】
0003110565.tif 000007
【図６】
0003110565.tif 000008
【図７】
0003110565.tif 000009
【図８】
0003110565.tif 000010
【手続補正書】
【提出日】平成17年4月7日(2005.4.7)
【手続補正１】
【補正対象書類名】実用新案登録請求の範囲
【補正対象項目名】全文
【補正方法】変更
【補正の内容】
【実用新案登録請求の範囲】
【請求項１】
容器体の上部に設けた回旋駆動装置と、
該回旋駆動装置により駆動されるカム機構と、
カム機構により揺動可能に設けた揺動体に連結した玩具本体を容器体内で揺動可能に設けたことを特徴とする容器体に収納した吊下げ揺動玩具。
【請求項２】
容器体の上部に設けたネジ捲オルゴール具の回旋駆動装置と、
該ネジ捲オルゴール具の回旋駆動装置により回転される歯車を介して駆動されるカム機構と、
カム機構により上下動可能に設けた揺動体に吊下紐により吊下げた玩具本体を容器体内で揺動可能に設けたことを特徴とする容器体に収納した吊下げ揺動玩具。
【請求項３】
透明製の容器体の上部に設けたネジ捲オルゴール具の回旋駆動装置と、
該ネジ捲オルゴール具の回旋駆動装置により回転される歯車を介して駆動されるカム機構と、
カム機構により上下動可能に設けた揺動体に透明製の吊下紐により吊下げた玩具本体を容器体内で発音しながら揺動可能に設けたことを特徴とする容器体に収納した吊下げ揺動玩具。
【請求項４】
透明製の容器体の上部に設けたネジ捲オルゴール具の回旋ゼンマイバネとドラムと発音体とを除く大部分を透明製とした回旋駆動装置と、
該ネジ捲オルゴール具の回旋駆動装置により回転される歯車に噛み合い伝動された歯車を介して駆動されるカム機構と、
カム機構により上下動可能に設けた透明製の揺動体に透明製の吊下紐により吊下げた玩具本体を容器体内の底部に立設して発音しながら揺動可能に設けたことを特徴とする容器体に収納した吊下げ揺動玩具。
【請求項５】
玩具本体が、ネズミ状の動物おもちゃやペンギン状の動物おもちゃその他の１個又は複数個の任意の人形体に形成され、該人形体の両手や頭部或いは人形体の携帯物品その他の人形体の任意位置に、吊下紐が連結され上下方向並びに左右方向その他任意方向に揺動可能に設けたことを特徴とする請求項１、２、３又は４の容器体に収納した吊下げ揺動玩具。
【手続補正２】
【補正対象書類名】図面
【補正対象項目名】図１
【補正方法】変更
【補正の内容】
【図１】
0003110565.tif 000011
【手続補正３】
【補正対象書類名】図面
【補正対象項目名】図８
【補正方法】変更
【補正の内容】
【図８】
0003110565.tif 000012
【手続補正４】
【補正対象書類名】明細書
【補正対象項目名】００１４
【補正方法】変更
【補正の内容】
【００１４】
本考案の容器体に収納した吊下げ揺動玩具は、玩具本体が、ネズミ状の動物おもちゃ（例えばミッキーマウス（登録商標））やペンギン状の動物おもちゃ（例えばトトロ（登録商標））その他の１個又は複数個の任意の人形体に形成され、該人形体の両手や頭部或いは人形体の携帯物品その他の人形体の任意位置に、吊下紐が連結され上下方向、並びに、左右方向その他任意方向に揺動可能に設けたことを特徴とするものである。
【手続補正５】
【補正対象書類名】明細書
【補正対象項目名】００２０
【補正方法】変更
【補正の内容】
【００２０】
請求項５における本考案の容器体に収納した吊下げ揺動玩具は、玩具本体が、ネズミ状の動物おもちゃやペンギン状の動物おもちゃその他の１個又は複数個の任意の人形体に形成され、該人形体の両手や頭部或いは人形体の携帯物品その他の人形体の任意位置に、吊下紐が連結され上下方向並びに左右方向その他任意方向に揺動可能に設けたものであるから、この種の物品の主たる需要者である幼児、子供達に広く周知され親しまれているネズミ状の動物おもちゃ（例えばミッキーマウス（登録商標））やペンギン状の動物おもちゃ（例えばトトロ（登録商標））、その他の人形体に形成された玩具本体が、１個又は複数個が、容器体の内部で、恰も、自らの意思により一人で、発音される演奏曲に合わせて、飛んだり跳ねたりしながら、踊り廻っているような外観を呈することができる。
【手続補正６】
【補正対象書類名】明細書
【補正対象項目名】００２２
【補正方法】変更
【補正の内容】
【００２２】
図１乃至図８は、本考案の容器体に収納した吊下げ揺動玩具の実施例を示すものであり、図１は本考案の斜視図であり、図２は図１の一部省略の正面図であり、図３は図１の作動状態を説明する一部省略の側面図であり、図４は図１の要部の平面図であり、図５は図１の本考案の一部省略の斜視図であり、図６は本考案の回転駆動力の伝動の状態を説明する要部の斜視図であり、図７は本考案のカム機構を説明する要部の斜視図であり、図８は他の実施例を示す要部の斜視図である。
図中において符号の１は本考案の容器体に収納した吊下げ揺動玩具、２は容器体、３は回転駆動装置、４はネジ捲オルゴール具、５はカム機構、６はネジ捲、７はドラム、８は回旋ゼンマイバネ、９は発音体、１０は歯車、１１は歯車、１２は原動軸、１３はカム、１４は揺動体、１５は連支軸、１６は吊下紐、１７は玩具本体、１８は動物おもちゃ、１９は頭部、２０は手、２１は胴体、２２は足、２３は動物おもちゃ、２４は動物おもちゃの傘、２５は小動物おもちゃ、２６は動物おもちゃ、２７は紐通孔体である。
【手続補正７】
【補正対象書類名】明細書
【補正対象項目名】００２９
【補正方法】変更
【補正の内容】
【００２９】
玩具本体１７は、図１に示す如く、広く幼児、子供に知られて親しまれている人形、例えばネズミ状の動物おもちゃ（例えばミッキーマウス（登録商標））１８に形成され、吊下紐１６は、ネズミ状の動物おもちゃ（例えばミッキーマウス（登録商標））１８の両手２０と、頭部１９とに取付けられている。
このように、玩具本体１７を広く知られて親しまれているネズミ状の動物おもちゃ（例えばミッキーマウス（登録商標））１８とし、その両手２０と頭部１９とに吊下紐１６を取り付けておけば、揺動体１４の上下方向に揺動に伴って、ネズミ状の動物おもちゃ１８がネジ捲オルゴール具４の発音に伴って、恰も、音楽の演奏に合わせて、両手２０を上げ下げし、頭部１９を上下方向に揺動して飛んだり跳ねたり踊り廻っているような外観を呈し、一層興味と注意とを引くことができる。
この場合、ネズミ状の動物おもちゃ１８を、容器体２内の底部２ｂに立設せずに、単に立っている状態に載置しておけば、両手２０を上げ下げと共にネズミ状の動物おもちゃ１８自体が、上方へ飛び上がるように動作が大きくなり、一層需要者の注意と興味を掻き立てることができる。
【手続補正８】
【補正対象書類名】明細書
【補正対象項目名】００３０
【補正方法】変更
【補正の内容】
【００３０】
図８は、本考案の本考案の容器体に収納した吊下げ揺動玩具の他の実施例を示すものであり、玩具本体１７は、図８に示す如く、広く幼児、子供に知られて親しまれているマンガのキャラクターでペンギン状の動物おもちゃ（例えばトトロ（登録商標））２３、或いはその他の任意な人形とすることができる。
この場合ペンギン状の動物おもちゃ２３が携えている傘２４と、ペンギン状の小動物おもちゃ（例えば小トトロ（登録商標））２５と、動物おもちゃ（例えば真っ黒クロスケ（登録商標））２６と、に吊下紐１６の下端方向を取付けている。
図８においてペンギン状の小動物おもちゃ２５は、容器体２内の底部２ｂに固定して立設し、該ペンギン状の動物おもちゃ２５の全体を弾支材とし、吊下紐１６を容器体２の側面に突設した紐通孔体２７に挿通しておけば、揺動体１４の上下方向への揺動により小ペンギン状の動物おもちゃ２５は、身体全体を左右方向へ揺動して動作が大きくなり、一層需要者の注意と興味を掻き立てることができる。
【手続補正９】
【補正対象書類名】明細書
【補正対象項目名】００３３
【補正方法】変更
【補正の内容】
【００３３】
１    容器体に収納した吊下げ揺動玩具
２    容器体
３    回転駆動装置
４    ネジ捲オルゴール具
５    カム機構
６    ネジ捲
７    ドラム
８    回旋ゼンマイバネ
９    発音体
１０    歯車
１１    歯車
１２  原動軸
１３  カム
１４  揺動体
１５  連支軸
１６  吊下紐
１７  玩具本体
１８  動物おもちゃ
１９  頭部
２０  手
２１  胴体
２２  足
２３  動物おもちゃ
２４  動物おもちゃの傘
２５  小動物おもちゃ
２６  動物おもちゃ
２７  紐通孔体